(57)【要約】【課題】流水管路内の夾雑物を、より確実に除去できるようにする。【解決手段】ブロック配水管の下流側末端に流速計２０とインラインフィルタ装置１０とを配置する。インラインフィルタ装置１０は、夾雑物を捕捉する機能を有するフィルタ５と、そのフィルタ５を夾んで上流側と下流側に位置する開閉自在のドレン排水管９及びフィルタ逆洗用排水管８とを備える。洗管の際には、流速計２０の示す数値に基づいて前記両排水管８，９を交互に開放して流水管路Ｐ内の流速を上昇させ、その流速の上昇により前記夾雑物の除去を促進する。また、ブロック配水管の途中に設けられた開閉弁の操作により、夾雑物を除去しようとする流路を特定し、他の流路を閉じることによりさらに流速を高めることができる。また、インラインフィルタ装置１０のフィルタ５が、その洗管位置の下流側に位置するので、夾雑物を下流側の流水管路Ｐに流さないように捕捉することができる。【選択図】図２
2009022872.tif 000002
【特許請求の範囲】
【請求項１】
流水管路Ｐ内に介在する夾雑物を除去する洗管方法において、前記流水管路Ｐ内に流れる水を通過させることによりその流水管路Ｐ内に介在する夾雑物を捕捉する機能を有するフィルタ５と、そのフィルタ５の上流側又は下流側に設けられ前記水を前記流水管路Ｐ外に排出させるための開閉機能を有する排水装置Ｗとを備えたインラインフィルタ装置１０を、前記夾雑物を除去する対象となる流水管路Ｐの下流側に配置するとともに、前記排水装置Ｗを開放することにより、前記夾雑物を除去する対象となる流水管路Ｐ内の流速を上昇させて、その流速の上昇により前記夾雑物の除去を促進する洗管方法。
【請求項２】
前記夾雑物を除去する対象となる流水管路Ｐは、上流側から下流側に向かって複数の流路に分岐してその分岐した各流路が下流側の前記インラインフィルタ装置１０に通じており、前記分岐した各流路のうち少なくとも一の流路が開閉可能であり、前記一の流路を閉じることにより他の流路の流速を上昇させて、その流速の上昇により前記夾雑物の除去を促進することを特徴とする請求項１に記載の洗管方法。
【請求項３】
前記分岐した各流路は、上流側から下流側に向かって網の目のように張り巡らされたブロック配水管であり、前記インラインフィルタ装置１０は前記ブロック配水管の下流側末端に配置されており、前記ブロック配水管の途中に複数の開閉弁が設けられて、それらの開閉弁により、前記分岐した各流路を選択的に開閉可能としたことを特徴とする請求項２に記載の洗管方法。
【請求項４】
前記排水装置Ｗの開閉度合いは調整可能であり、前記夾雑物を除去する対象となる流水管路Ｐに流速計又は流量計を取り付け、その流速計又は流量計の示す数値に対応して、前記排水装置Ｗの開閉度合いを調整することを特徴とする請求項１乃至３のいずれかに記載の洗管方法。
【請求項５】
前記排水装置Ｗの開閉度合いの調整は、前記流速計又は流量計の示す数値に基づいて自動的に行われることを特徴とする請求項４に記載の洗管方法。
【請求項６】
前記排水装置Ｗは、少なくとも前記インラインフィルタ装置１０の前記フィルタ５の下流側に設けられることを特徴とする請求項１乃至５のいずれかに記載の洗管方法。
【請求項７】
前記排水装置Ｗは、少なくとも前記インラインフィルタ装置１０の前記フィルタ５の上流側に設けられることを特徴とする請求項１乃至６のいずれかに記載の洗管方法。
【発明の詳細な説明】
【技術分野】
【０００１】
この発明は、流水管路内の夾雑物を除去するための洗管方法に関するものである。
【背景技術】
【０００２】
一般に、流水管路は、その管内面にライニング等を施すことにより錆止め等を行い、管内を流れる水に異物が混入しないようにしている。しかし、その流水管路の配管工事において、孔明け工事や切断工事等を行った際に発生した金属粉や砂利等が、管内の水に混入する場合がある。また、工事の際に生じた流水管路の金属露出部で発生する錆が管内の水に混入する場合もある。
これらの夾雑物は、流水管路下流に供給される水の水質を悪化させるので、流水中に夾雑物があることは好ましくない。
【０００３】
流水管路内の夾雑物を管路外に排出する技術として、例えば、消火栓やＴ字管を利用して、流水管路内の水を一斉に排出することにより、その水とともに夾雑物を管路外に排出する洗管方法がある（例えば、特許文献１、特許文献２参照）。
【０００４】
また、流水管路の途中にインラインフィルタ装置を介在させて、そのインラインフィルタ装置が備えるフィルタに水を通過させることにより、夾雑物を捕捉する洗管方法の技術も開示されている（例えば、特許文献３参照）。
【特許文献１】特開２００２−１６１５５９号公報
【特許文献２】特開２００４−２８３７４１号公報
【特許文献３】特開２００６−７５８１７号公報
【発明の開示】
【発明が解決しようとする課題】
【０００５】
上記特許文献１，２に記載の洗管方法では、流水管路内の全ての夾雑物を排出することは困難である。
また、より多くの夾雑物を排出させるために、流水管路内の水を全て排出することも可能である。しかし、このようにすると下流側に断水が生じるので好ましくないとともに、排出された多くの水が無駄になるので効率的ではない。
【０００６】
この点、上記特許文献３に記載の洗管方法によれば、全ての水がフィルタを通過するようにすることにより、流水管路内のより多くの夾雑物を捕捉することが可能である。
しかし、流水管路内の流速が低い場合には、夾雑物がフィルタに到達せず、流水管路の途中で滞ってしまう場合もある。
【０００７】
そこで、この発明は、流水管路内の夾雑物を、より確実且つ効率的に除去できるようにすることを課題とする。
【課題を解決するための手段】
【０００８】
上記の課題を解決するために、この発明は、洗管の対象となる流水管路の下流側に設けたインラインフィルタ装置の排水装置を利用し、その排水装置の開放により流水管路内の流速を上昇させ、その流速の上昇により洗管を促進する方法を採用したのである。
この洗管方法によれば、排水装置を開放することにより流水管路内の流速が増すので、流水管路内の夾雑物は、その流速の増大に伴って流れに沿って移動しやすくなる。このため、効率的な夾雑物の除去、すなわち洗管が可能である。また、インラインフィルタ装置のフィルタが、その洗管位置の下流側に位置するので、夾雑物を下流側の流水管路に流さないように捕捉することができる。
【０００９】
具体的な構成は、流水管路内に介在する夾雑物を除去する洗管方法において、前記流水管路内に流れる水を通過させることによりその流水管路内に介在する夾雑物を捕捉する機能を有するフィルタと、そのフィルタの上流側又は下流側に設けられ前記水を前記流水管路外に排出させるための開閉機能を有する排水装置とを備えたインラインフィルタ装置を、前記夾雑物を除去する対象となる流水管路の下流側に配置するとともに、前記排水装置を開放することにより、前記夾雑物を除去する対象となる流水管路内の流速を上昇させて、その流速の上昇により前記夾雑物の除去を促進する洗管方法である。
【００１０】
この構成において、前記夾雑物を除去する対象となる流水管路として、上流側から下流側に向かって複数の流路（ルート）に分岐してその分岐した各流路が下流側の前記インラインフィルタ装置に通じており、前記分岐した各流路のうち少なくとも一の流路が開閉可能であり、前記一の流路を閉じることにより他の流路の流速を上昇させて、その流速の上昇により前記夾雑物の除去を促進する洗管方法とすることができる。
複数の流路が分岐する構成において前記洗管方法を採用すれば、前記分岐した各流路の中から実際に水を流通させる流路を選択することにより、上流側からインラインフィルタ装置へと実際に水が流れる流路の断面を増減させることができる。
このため、その断面積を減らせば、洗管の対象となる流水管路の流速をさらに上昇させることができるとともに、順次流路を切り換えれば各流路を別々に洗管できる。
【００１１】
また、前記分岐した各流路は、上流側から下流側に向かって網の目のように張り巡らされたブロック配水管であり、前記インラインフィルタ装置は前記ブロック配水管の下流側末端に配置されており、前記ブロック配水管の途中に複数の開閉弁が設けられて、それらの開閉弁により、前記分岐した各流路を選択的に開閉可能とした洗管方法とすることができる。
インラインフィルタ装置がブロック配水管の下流側末端にあれば、上流側からそのブロック配水管を通ってインラインフィルタ装置へと通じる流路には多数のルートがある。このため、前記ブロック配水管における分岐した多数の流路（ルート）のうち、閉じる流路の数を増やし、実際に水を流す流路を少なくすれば、全ての流路を開けた状態と比較して、相対的に洗管の対象となる流水管路の流速をより大きく上昇させることができる。このため、さらに効率的な夾雑物の除去が可能となる。
【００１２】
また、前記排水装置の開閉度合いが調整可能である場合において、前記夾雑物を除去する対象となる流水管路に流速計又は流量計を取り付け、その流速計又は流量計の示す数値に対応して、前記排水装置の開閉度合いを調整する洗管方法とすることができる。
このようにすれば、夾雑物を除去するための最適な流速を維持することができる。なお、その排水装置の開閉度合いの調整は、前記流速計又は流量計の示す数値に基づいて自動的に行われるようにすることもできる。
【００１３】
また、前記排水装置は、少なくとも前記インラインフィルタ装置の前記フィルタの下流側に設けられる構成を採用することができる。あるいは、前記フィルタ５の上流側に設けられる構成を採用することもできる。また、両者を併せて備えることもできる。
フィルタの下流側で排水を行えば、そのフィルタによる夾雑物の捕捉を同時に行うことができる。また、フィルタの上流側で排水を行えば、流水管路内の流速は、フィルタを通過する水の抵抗の影響を受けにくい。このため、流速の向上に効果的であるとともに、大きな夾雑物はフィルタを介さずにそのまま管外に排出できる。
【００１４】
なお、その排水装置として、例えば、インラインフィルタ装置のフィルタに付着した夾雑物を除去する機能を備えたフィルタ逆洗用排水管であってもよいし、あるいは、インラインフィルタ装置のフィルタを収納したケーシング内において、そのケーシング底に溜まった夾雑物を排出するためのドレン排水管など、各種排水装置を活用し得る。
【発明の効果】
【００１５】
この発明は、以上のように、排水装置の開放に伴う流水管路内の流速の増大により、効率的な洗管が可能であり、その流水管路内の夾雑物をより確実且つ効率的に除去できるようになる。
【発明を実施するための最良の形態】
【００１６】
この発明の実施形態を図面に基づいて説明する。この実施形態の洗管方法に使用されるインラインフィルタ装置１０は、図３（ａ）（ｂ）に示すように、流水管路Ｐ，Ｐの途中に接続されるケーシング１内に、夾雑物捕捉用の筒状のフィルタ５を配置したものである。
【００１７】
ケーシング１内が隔壁１９を介して下室２と上室３とに区画されている。その下室２が接続口１２を介して上流側の流水管路Ｐに、上室３が接続口１３を介して下流側の流水管路Ｐに接続されている。
なお、下室２の底部には、その下室２内の水とその水中に浮遊する夾雑物、下室２の底に溜まった夾雑物を管外に排出できる開閉弁９ａ付きのドレン排水管９（排水装置Ｗ）が設けられている。
【００１８】
また、前記上室３内には、上端面及び下端面を開口した筒状のフィルタ５が配置されて、そのフィルタ５の下端は、前記隔壁１９に形成した上下方向の貫通孔１９ａに臨んでいる。
フィルタ５の下端は、全周に亘る軟質ゴムからなるパッキンを介して前記貫通孔１９ａ周囲の隔壁１９に接している。このため、そのフィルタ５の下端と隔壁１９との隙間に夾雑物が通過しないようになっている。
【００１９】
この上室３内におけるフィルタ５の内側空間は、前記貫通孔１９ａを介して前記下室２と連通しており、また、上室３内におけるフィルタ５の外側空間は排出室６となっている。その排出室６は、前記フィルタ５の周面に形成した内外を貫通する多数の透孔を介して前記フィルタ５の内側空間に連通する。この透孔は、流水管路Ｐに流れる水を通過させ、その水とともに流れる夾雑物を捕捉することができる径を有している。
【００２０】
前記フィルタ５の内側空間は、図５に示すように、上下方向の仕切部材１６を介して２室に区画される。また、そのフィルタ５の筒軸心と同心になるように、前記仕切部材１６に筒状の鉛直軸１６ａが固定される。
【００２１】
その鉛直軸１６ａ内に回転軸１５が挿通されており、その回転軸１５の上端には前記フィルタ５の上端面開口の一部を閉じる中心角１８０度の扇形の上部仕切板１４が一体に設けられている。また、その回転軸１５の下端には、同じく前記フィルタ５の下端面開口の一部を閉じる中心角１８０度の扇形の下部仕切板１１が、ナット１５ａによって固定可能である。
【００２２】
前記フィルタ５に前記回転軸１５及び上下各仕切板１１，１４を取り付ける際には、前記鉛直軸１６ａ内に回転軸１５を挿通し、上部仕切板１４をフィルタ５の上端縁に当接させる。つぎに、フィルタ５の下方において回転軸１５の下端を下部仕切板１１の扇形の中心に設けた孔に挿通してナット１５ａで締め付け、下部仕切板１１をフィルタ５の下端縁に当接させた状態に固定する。
フィルタ５は、その上端縁に外側に突出して設けたフランジ５ｂを介してケーシング１の蓋１７にビスで固定されている。また、回転軸１５は、その上端が前記蓋１７の孔１７ａを通って上方へ突出し、その突出した上端にボルト１５ｂ、押え具１８ａを介して操作杆１８が取り付けられている。
【００２３】
上下各仕切板１１，１４は、前記回転軸１５周りに対向する方位に固定されているので、上部仕切板１４が前記仕切部材１６を夾んで一方の空間の上面を閉じる状態であれば、下部仕切板１１が他方の空間の下面を閉じた状態となる。また、その状態から回転軸１５を軸周りに１８０度回転させれば、前記上下両仕切板１４，１１もフィルタ５の上端縁又は下端縁に摺動しながら回転し、上部仕切板１４が他方の空間の上面を閉じ、下部仕切板１１が一方の空間の下面を閉じた状態になる。
【００２４】
洗管を実施する時を除く通常の流水状態では、各仕切板１１，１４はそれぞれフィルタ５に対して図５に示す向きに固定され、すなわち、下部仕切板１１が前記仕切部材１６を夾んで両方の空間の下面をそれぞれ約半分閉じ、上部仕切板１４も前記仕切部材１６を夾んで両方の空間の上面をそれぞれ約半分閉じた状態に固定される。
このため、流水管路内を流れる水は、前記仕切部材１６を夾んで両方の空間に均等に流入するようになっている。
【００２５】
また、前記フィルタ５の内側空間には、そのフィルタ５の上端開口、及び前記蓋１７の孔８ｂを介して、図３及び図４に示すように、開閉弁８ａ付きのフィルタ逆洗用排水管８（排水装置Ｗ）が連通するようになっている。
このインラインフィルタ装置１０を模式的に表すと図１のようになる。この図１は、前記の洗管を実施する時を除く通常の流水状態を示している。なお、図１、及び後述の図２に弁記号で示す開閉弁８ａ，９ａ及び前記上下仕切板１４，１１による開閉装置は、理解がしやすいようにそれぞれ黒塗りで示したものを閉鎖状態、白塗りで示したものを開放状態としている。
【００２６】
洗管時の作用を説明すると、例えば、上部仕切板１４が前記仕切部材１６を夾んで一方の空間の上面を閉じ、且つ、下部仕切板１１が他方の空間の下面を閉じた状態とする。この状態で、フィルタ逆洗用排水管８は、前記フィルタ５の内側空間内において、前記仕切部材１６によって隔てられている両側の空間のうち、前記上部仕切板１４によって閉じられている前記一方の空間には連通せず、その反対側の空間（前記他方の空間）にのみ連通する。
このため、そのフィルタ逆洗用排水管８に連通する側の空間は、図２（ａ）に示すように、前記透孔を介して排出室６に連通する逆洗室７となる。
【００２７】
フィルタ逆洗用排水管８の開閉弁８ａを開放することにより、その逆洗室７にはフィルタ５の外側から内側への逆方向の水流を生じさせる。その逆方向の水流が、逆洗室７に面する部分に相当するフィルタ５’（図中に示すフィルタｂ）に付着した夾雑物をいわゆる逆洗により離脱させ、管外に排出できるようになっている（矢印Ｃ参照）。
【００２８】
また、そのフィルタ逆洗用排水管８に連通しない側の空間は、前記透孔を介して排出室６に連通するとともに貫通孔１９ａを介して下室２と連通する導入室４となり、その導入室４側のフィルタ５（図中に示すフィルタａ）を、流水管路Ｐを上流側から下流側に向かって流れるすべての水が通過することにより、その水に含まれる夾雑物を捕捉する（矢印Ａ，Ｂ参照）。
この捕捉機能は前記フィルタ５’を逆洗する際にも使用でき、その逆洗中においても下流側に水を供給できるようになっている。このため、下流側を断水させることなく逆洗の機能を発揮できる。
【００２９】
この図２（ａ）に示す状態において、フィルタ逆洗用排水管８は、上流側から下流側に向かって流れる水に含まれる夾雑物を捕捉しているフィルタ５（フィルタａ）に対して、下流側に位置する排水装置Ｗとなる。
【００３０】
また、操作杆１８を操作して回転軸１５を軸周り回転させることにより、前記逆洗室７と導入室４の設定を、仕切部材１６を夾む両側の空間同士で相互に切り換えることができる。
【００３１】
このため、回転軸１５を管軸周りに１８０度回転させると、新たにフィルタ逆洗用排水管８に連通するようになった側の空間は、図２（ｂ）に示すように、前記透孔を介して排出室６に連通する逆洗室７となり、フィルタ５’（図中に示すフィルタａ）が逆洗される（矢印Ｆ参照）。
【００３２】
また、フィルタ逆洗用排水管８に連通しないようになった側の空間は、前記透孔を介して排出室６に連通するとともに貫通孔１９ａを介して下室２と連通する導入室４となり、その導入室４側のフィルタ５（図中に示すフィルタｂ）は、流水管路Ｐを上流側から下流側に向かって流れる水に含まれる夾雑物を捕捉する（矢印Ｄ，Ｅ参照）。
【００３３】
すなわち、この図２（ｂ）に示す状態において、フィルタ逆洗用排水管８は、上流側から下流側に向かって流れる水に含まれる夾雑物を捕捉しているフィルタ５（フィルタｂ）に対して、下流側に位置する排水装置Ｗとなる。
【００３４】
このとき、流水中の夾雑物のうち比較的比重の大きいものは下室２内に溜まるので、図２（ｃ）に示すように、ドレン排水管９の開閉弁９ａを開放すれば、水とともにそれらの夾雑物を管外に排出できる（矢印Ｇ参照）。
なお、その下室２は、流水管路Ｐの管径に比べてその内径が急激に拡大するように形成されているので、その流水中の夾雑物が沈殿しやすいという効果があるといえる。
また、比較的比重の小さいものは、上室３のフィルタ５に捕捉されるようになる。
【００３５】
このインラインフィルタ装置１０が、図６に示すブロック配水管の下流側末端に設けられている。ブロック配水管は、上流側から下流側に向かって網の目のように張り巡らされた流水管路Ｐである。
【００３６】
そのブロック配水管の途中に、複数の開閉弁３０；ａ，ｂ，ｃ，ｄ，ｅ，ｆ，ｇ，ｈ・・・が設けられいる。
それらの開閉弁ａ，ｂ，ｃ，ｄ，ｅ，ｆ，ｇ，ｈ・・・を適宜開閉することにより、例えば、図中に符号ｉ，ｉｉ，ｉｉｉのルートで示すように、分岐した各流路を選択的に開閉することができる。
【００３７】
また、そのブロック配水管の下流側末端において、前記インラインフィルタ装置１０のすぐ上流側に流速計２０が設けられている。
流速計２０は、例えば、棒状電磁流速計などを用いることができる。なお、流速計２０に代えて周知の流量計を用いても良い。
【００３８】
前記インラインフィルタ装置１０のフィルタ逆洗用排水管８及びドレン排水管９の各開閉弁８ａ，９ａの開閉度合いは調整可能であり、全開状態、全閉状態、及びその全開状態と全閉状態との間の任意の開閉位置に設定できるとともに、その開度を維持できるようになっている。
【００３９】
ブロック配水管における各部の流水配管を洗管する際の方法について、以下説明する。
【００４０】
いま、前記夾雑物を除去する対象となる流水管路Ｐを図６に示すルートｉの流路とする。開閉弁ｅ，ｇ，ｈは全て閉じられ、開閉弁ｆは開いている。流速計２０は、そのルートｉに示す流路（流体管路Ｐ）の末端に取り付けられていることになる。
【００４１】
まず、前記ドレン排水管９の開閉弁９ａを閉じた状態でフィルタ逆洗用排水管８の開閉弁８ａを開ける（図２（ａ）又は（ｂ）参照）ことにより、フィルタ５内の夾雑物を排出する。
つぎに、フィルタ逆洗用排水管８の開閉弁８ａを閉じるとともに、前記ドレン排水管９の開閉弁９ａを開けて（図２（ｃ）参照）排水するとともに、下室２から夾雑物を排出する。この開閉弁９の開操作により、流速計２０の示す数値は上昇し、その数値が前記適切な流速になればその状態を維持する。流速が適切な数値に上昇しなければ、開閉弁８ａを開けて流速を上昇させてもよい。
【００４２】
この間、前記逆洗室７と導入室４との切り換えは適宜行って良い。また、その流速計２０の示す数値に対応して、前記両開閉弁８ａ，９ａの開閉度合いを適宜調整してもよい。なお、洗管に適切な流速は、管径や管路長などによって決定される。
【００４３】
フィルタ逆洗用排水管８とドレン排水管９との選択的な開閉動作を繰り返し、排出される夾雑物が微量になれば、ルートｉの洗管を終了する。
【００４４】
つぎに、前記夾雑物を除去する対象となる流水管路Ｐを図６に示すルートｉｉの流路とする。ブロック配水管の開閉弁ａ，ｂ，ｃ，ｆ，ｇ，ｈを閉じ、開閉弁ｄ，ｅを開ける。流速計２０は、そのルートｉｉに示す流路（流体管路Ｐ）の末端に取り付けられていることになる。
作業内容は、ルートｉの場合と同様である。また、洗管に適切な流速（夾雑物が流れやすい流速）は、ルートｉｉに固有の数値を採用する。
【００４５】
ルートｉｉの洗管が終われば、つぎに、ルートｉｉｉの流路の洗管を行う。ブロック配水管の開閉弁ｂ，ｃ，ｄ，ｆを閉じ、開閉弁ａ，ｅを開ける。流速計２０は、そのルートｉｉｉに示す流路（流体管路Ｐ）の末端に取り付けられていることになる。
作業内容は、ルートｉ，ｉｉの場合と同様である。また、洗管に適切な流速（夾雑物が流れやすい流速）は、ルートｉｉｉに固有の数値を採用する。
【００４６】
このように、洗管に用いる排水装置Ｗとして、逆洗機能を備えたインラインフィルタ装置１０のフィルタ逆洗用排水管８を採用したので、フィルタの逆洗用排水を管路内の流速上昇に活用でき、捨て水の有効活用に資することができる。
このため、分岐する複数の流路を順番に洗管する際には、全ての流路の洗管作業を終了するまでに比較的長い時間を要するので、洗管の為の捨て水を活用できるこの種のインラインフィルタ装置１０が有効である。
また、ドレン排水管９を開放すれば、フィルタ５を水が通過する際の抵抗が、流水管路Ｐ内の流速に影響しにくい。このため、洗管の対象となる流水管路Ｐにおける流速を向上させる上で有利である。
【００４７】
なお、上記の構成において、流速計２０の示す数値を見ながら、ブロック配水管の開閉弁ａ，ｂ，ｃ，ｄ，ｅ，ｆ，ｇ，ｈ・・・を適宜開閉操作することはさしつかえない。その開閉により、流路の実質的な断面積を増減させることができるので、その増減により流速を調整することができる。このため、流水管路Ｐ内の流速を前記適切な流速に調整する際に便利である。
【００４８】
上記の実施形態では、そのブロック配水管の下流側末端、すなわち洗管の対象となる流水管路の末端で、且つ前記インラインフィルタ装置１０のすぐ上流側に流速計２０を設けたが、流速計２０や流量計は、洗管の対象となる流水管路始端、あるいはその流水管路の途中に設けることもできる。また、複数の流速計２０や流量計を設けて、それらの示す数値を総合的に考慮しながら、前記排水装置Ｗや、前記流水管路Ｐの開閉弁ａ，ｂ，ｃ，ｄ，ｅ，ｆ，ｇ，ｈ・・・の各操作を行うと、適切な流速を維持する上でさらに効果的である。
【００４９】
また、この洗管方法は、ブロック配水管のみならず、他の形態からなる流水管路Ｐに適用することができる。例えば、上流側から下流側に向かって単一のルートでインラインフィルタ装置１０に通じる流水管路Ｐであってもよいし、複数ルートの流路に分岐して、その分岐した各流路がそれぞれ同一のインラインフィルタ装置１０に通じている場合などにも適用可能である。
【００５０】
流水管路が複数ルートの流路に分岐する場合、各流路が選択的に開閉可能な構成であれば、前記ブロック配水管の場合と同様に、分岐した各流路のうち少なくとも一の流路を閉じれば、他の流路を洗管の対象とするとともにその対象となる流路における流速を上昇させ、あるいは調整することができる。
【００５１】
また、上記実施形態のインラインフィルタ装置１０に代えて、例えば、図７に示すフィルタ５等を備えたインラインフィルタ装置１０を用いても良い。
【００５２】
図７に示す構成について、上記実施形態との相違点を中心に説明すると、このインラインフィルタ装置１０は、フィルタ５の内側空間を区間する仕切部材１６の一部が、回転軸１５’周りに回転可能な可動鉛直仕切板１６’及びストッパ壁１６ｃ，１６ｄで構成されている。上下各仕切板１４，１１が回転軸１５周りに一体に回転可能である点は、同様である。この実施形態では、上部仕切板１４は、母線１４ａ，１４ｂを有する中心角１５０度の扇形であり、下部仕切板１１は、母線１１ａ，１１ｂを有する中心角２１０度の扇形となっている。
【００５３】
図７（ａ）に示す状態は、可動鉛直仕切板１６’がストッパ壁１６ｄに当たる位置に固定されている。その可動鉛直仕切板１６’を含む仕切部材１６によって、フィルタ５の内側空間が、相対的に小さい導入室４と相対的に大きい逆洗室７とに区画されている。
【００５４】
回転軸１５’を回転させることにより、可動鉛直仕切板１６’を、図７（ａ）に示す位置から矢印Ｖの方向に動いてストッパ壁１６ｃに当たる位置まで移動させる。続いて、回転軸１５を回転させることにより、上部仕切板１４及び下部仕切板１１を矢印Ｗの方向へ回転させ、仕切部材１６を図７（ｂ）に示す状態とすれば、導入室４と逆洗室７とが相互に切り換えられる。
【００５５】
また、逆の動作により、回転軸１５’を回転させることにより、可動鉛直仕切板１６’を、図７（ｂ）に示す位置から矢印Ｘの方向に動いてストッパ壁１６ｄに当たる位置まで移動させる。続いて、回転軸１５を回転させることにより、上部仕切板１４及び下部仕切板１１を矢印Ｙの方向へ回転させれば、仕切部材１６を図７（ａ）に示す元の状態とすることができる。
【００５６】
なお、フィルタ逆洗用排水管８は、ケーシング１の上方から前記両ストッパ壁１６ｃ，１６ｄに夾まれた領域に臨むように設定されており、常に、フィルタ逆洗用排水管８の直下に逆洗室７が位置するようになっている。このため、フィルタ５に付着した夾雑物が離脱しやすくなるという効果が期待できる。
フィルタ５に付着した夾雑物がより確実に離脱することは、そのフィルタ５を通過する水の通過抵抗を少なくするので、前記洗管の対象となる流水管路Ｐの流速の上昇に有効である。
【００５７】
また、図７（ａ）（ｂ）に示す仕切部材１６及び可動鉛直仕切板１６’の一連の動作は、回転軸１５，１５’を連動させることにより、単一の操作杆１８による連続した回転操作により続けて動作させることもできる。
【００５８】
さらに、インラインフィルタ装置１０は、逆洗機能を備えない図８に示す構成とすることもできる。また、各実施形態において、流水管路内の水の流速を数値で把握する必要のない場合は、流速計２０又は流量計の設置は省略することもできる。
【図面の簡単な説明】
【００５９】
【図１】一実施形態のインラインフィルタ装置及び流速計の配置を示す模式図
【図２】図１の作用を示し、（ａ）はフィルタｂの逆洗時、（ｂ）はフィルタａの逆洗時、（ｃ）はドレン排水管開放時を示す模式図
【図３】（ａ）（ｂ）は、同実施形態のインラインフィルタ装置の断面図
【図４】図３の一部切断側面図
【図５】同実施形態のインラインフィルタ装置の分解斜視図
【図６】ブロック配水管の模式図
【図７】（ａ）（ｂ）は、他の実施形態のインラインフィルタ装置の要部拡大平面図
【図８】他の実施形態のインラインフィルタ装置及び流速計の配置を示す模式図
【符号の説明】
【００６０】
１  ケーシング
２  下室
３  上室
４  導入室
５  フィルタ
６  排出室
７  逆洗室
８  フィルタ逆洗用排水管
８’  排水管
９  ドレン排水管
１０  インラインフィルタ装置
１１  下部仕切板
１２，１３  接続口
１４  上部仕切板
１５，１５’  回転軸
１６  仕切部材
１６’  可動鉛直仕切板
１７  蓋
２０  流速計
Ｐ  流水管路
Ｗ  排水装置
【図１】
2009022872.tif 000003
【図２】
2009022872.tif 000004
【図３】
2009022872.tif 000005
【図４】
2009022872.tif 000006
【図５】
2009022872.tif 000007
【図６】
2009022872.tif 000008
【図７】
2009022872.tif 000009
【図８】
2009022872.tif 000010